(57)【要約】携帯用噴射装置に関し、さらに詳しくは、噴射用回転体の単純な回転運動によってカートリッジ部材を移動させることにより、カートリッジ部材内に位置した粉末が効果的に外部へ噴射できる携帯用噴射装置を提供することを目的とする。【解決手段】本体ケーシング部材１０と、本体ケーシング部材１０の先端部に設けられ、粉末材料を噴射するための噴射孔２１を有する噴射ノズル部材２０と、本体ケーシング部材１０の内部に位置し、貯蔵される粉末材料を排出口６０ａを介して排出して噴射ノズル部材２０の内部へ供給するカートリッジ部材６０と、噴射ノズル部材２０の内部に配置され、回転することにより噴射孔２１を介して粉末材料を噴射する噴射用回転体３０とを含んでなる。
2019521051.tif 000002
【特許請求の範囲】
【請求項１】
本体ケーシング部材と、
前記本体ケーシング部材の先端部に設けられ、粉末材料を噴射するための噴射孔を有する噴射ノズル部材と、
前記本体ケーシング部材の内部に位置し、貯蔵される粉末材料を排出口を介して排出して前記噴射ノズル部材の内部へ供給するカートリッジ部材と、
前記噴射ノズル部材の内部に配置され、回転することにより前記噴射孔を介して粉末材料を噴射する噴射用回転体とを含んでなることを特徴とする、携帯用噴射装置。
【請求項２】
前記噴射用回転体は、１回転時に少なくとも１回前記カートリッジ部材と衝突して前記カートリッジ部材を移動させることを特徴とする、請求項１に記載の携帯用噴射装置。
【請求項３】
前記カートリッジ部材の移動は、上下方向の移動、左右方向の移動、規則的または不規則な振動、および斜線方向への移動のうちの少なくとも一つを含むことを特徴とする、請求項２に記載の携帯用噴射装置。
【請求項４】
前記排出口は前記カートリッジ部材の先端部に配置され、前記カートリッジ部材は長さ方向に移動することを特徴とする、請求項２に記載の携帯用噴射装置。
【請求項５】
前記噴射用回転体は、
回転力の伝達を受けて回転する回転軸部と、
前記回転軸部の外周面に螺旋状に突設される螺旋状突起部とを含むことを特徴とする、請求項１に記載の携帯用噴射装置。
【請求項６】
前記噴射用回転体は、前記回転軸部から突出し、前記カートリッジ部材とぶつかるカートリッジ衝突突起部をさらに含むことを特徴とする、請求項５に記載の携帯用噴射装置。
【請求項７】
前記カートリッジ部材の先端部には、前記カートリッジ衝突突起部とぶつかるカートリッジ突起部が突設されることを特徴とする、請求項６に記載の携帯用噴射装置。
【請求項８】
前記回転軸部は、先端部に行くほど直径が小さくなるコーン状を有し、
前記螺旋状突起部には、離隔した複数の材料移動用溝部が備えられることを特徴とする、請求項５に記載の携帯用噴射装置。
【請求項９】
前記螺旋状突起部は、離隔した複数の螺旋状突起で形成され、各螺旋状突起の間に間隔が形成された形態を有することを特徴とする、請求項８に記載の携帯用噴射装置。
【請求項１０】
前記カートリッジ部材の移動を案内する直線移動ガイド部材をさらに含むことを特徴とする、請求項２に記載の携帯用噴射装置。
【請求項１１】
前記カートリッジ部材を弾性支持するカートリッジ支持用ばね部材をさらに含むことを特徴とする、請求項２に記載の携帯用噴射装置。
【請求項１２】
前記本体ケーシング部材は、前記噴射用回転体を回転させる回転モーターと、前記回転モーターの作動を制御する作動制御部が装着される内部ケーシング部と、前記内部ケーシング部の内部に配置される外部ケーシング部とを含み、
前記直線移動ガイド部材は、前記内部ケーシング部における前記カートリッジ部材に対向する第１面と、前記カートリッジ部材における前記内部ケーシング部に対向する第２面のうちのいずれか一方に備えられるメイン直線移動体と、
前記第１面および前記第２面のうちのいずれか他方に備えられ、前記メイン直線移動体が直線移動可能に結合するメイン直線移動ガイドレールとを含むことを特徴とする、請求項１０に記載の携帯用噴射装置。
【請求項１３】
前記カートリッジ部材を弾性支持するカートリッジ支持用ばね部材をさらに含み、
前記カートリッジ支持用ばね部材は、メイン直線移動ガイドレール内に備えられ、前記カートリッジ部材を弾性支持することを特徴とする、請求項１２に記載の携帯用噴射装置。
【請求項１４】
前記直線移動ガイド部材は、前記第１面および前記第２面のうちのいずれか一方に突設される移動ガイド突起部と、
前記第１面および前記第２面のうちのいずれか一方に備えられ、前記移動ガイド突起部が内部に挿入され、前記本体ケーシング部材の長さ方向に配置される移動ガイドスリット溝部とをさらに含むことを特徴とする、請求項１２に記載の携帯用噴射装置。
【請求項１５】
前記本体ケーシング部材は、前記噴射用回転体を回転させる回転モーターと、前記回転モーターの作動を制御する作動制御部が装着される内部ケーシング部と、前記内部ケーシング部が内部に配置される外部ケーシング部とを含み、
前記内部ケーシング部および前記外部ケーシング部のうちのいずれか一方は、いずれか他方にスライド移動して結合することを特徴とする、請求項１に記載の携帯用噴射装置。
【請求項１６】
前記カートリッジ部材の内部に粉末材料を満たすための漏斗部材をさらに含むことを特徴とする、請求項１に記載の携帯用噴射装置。
【請求項１７】
前記噴射孔を開閉する噴射孔開閉部材をさらに含むことを特徴とする、請求項１に記載の携帯用噴射装置。
【請求項１８】
前記噴射孔開閉部材は、
前記噴射用回転体の先端部に備えられる電磁石部と、
前記電磁石部の磁力によって移動して前記噴射孔を開閉する噴射孔栓部と、
前記噴射孔を塞ぐように前記噴射孔栓部を弾性支持する栓支持用ばね部材と、
前記噴射孔栓部の移動を案内する栓移動ガイド部とを含むことを特徴とする、請求項１７に記載の携帯用噴射装置。
【請求項１９】
前記電磁石部は、前記回転モーターが作動するときに一緒に電気電源の供給を受け磁力を発生させて前記噴射孔を開放し、前記回転モーターが停止すると、電気電源供給が遮断されることを特徴とする、請求項１８に記載の携帯用噴射装置。
【発明の詳細な説明】
【技術分野】
【０００１】
本出願は、２０１６年６月１７日付の韓国特許出願第１０−２０１６−００７６０４１号に基づく優先権の利益を主張し、その韓国特許出願の文献に開示されたすべての内容は、本明細書の一部として含まれる。
【０００２】
本発明は、携帯用噴射装置に関し、より詳細には、噴射用回転体の単純な回転運動によってカートリッジ部材を移動させることにより、カートリッジ部材内に位置した粉末が効果的に外部へ噴射できる携帯用噴射装置に関する。
【背景技術】
【０００３】
最近、食べ物への関心が増大しているとともに、食べ物を飾る技術および方法への関心も増加している。食べ物を飾る例として、ケーキなどに文字または模様を描き入れることが一般に知られている。ケーキなどに文字または模様などを描き入れる方法は、粘性の高い液状のクリームまたは液状のチョコレートなどが挿入されたチューブをユーザーが握り、内部の液状材料をチューブの端部側から搾り出す方式が主に用いられている。
【０００４】
食べ物を飾る材料として、クリーム、液状のチョコレート、ドレッシングなどの高い粘性の液状材料を使用しているが、最近、粉末材料を用いて食べ物を飾ることへと徐々に拡大している。
【０００５】
特に、牛乳スチーミング、ラテアート・チョコアートテクニック、バリエーションコーヒーなどの技術をベースとして、その上にシナモンパウダーなどの粉末材料で文字または模様などを表現する装飾法が多く用いられている。
【０００６】
しかし、従来のチューブタイプの装飾機構では、粉末材料を使用することができず、ユーザーがチューブを握る圧力によって噴射量が決定されるので、熟練したユーザーではない場合、噴射量を調節して、文字または模様で表現することが難しいという問題点があった。
【０００７】
また、特許文献１（韓国特許公開第２０１５−００６８５５８号公報）の「飲料の装飾ツール」には、模様や文字が刻まれた紙やプラスチックを飲料の上でコップに固定させた後、抹茶ミックスなどの粉末を紙やプラスチックの上に振りかけて文字やイメージを飲料上に形成する技術が提案されている。
【先行技術文献】
【特許文献】
【０００８】
【特許文献１】韓国特許公開第２０１５−００６８５５８号公報
【発明の概要】
【発明が解決しようとする課題】
【０００９】
ところが、特許文献１（韓国特許公開第２０１５−００６８５５８号公報）の「飲料の装飾ツール」は、ユーザーが希望する形態の文字または模様を創造的に表現するものではなく、紙またはプラスチックに形成されて定められた文字や模様のみを用いて表現することができるという問題点があった。
【００１０】
また、紙やプラスチックの上に粉末を、文字または模様を全て覆うように振りかけなければならないので、紙やプラスチックの上で費やされる粉末の量が相当であるだけでなく、飲料の上に表現される模様または文字が均一な厚さで精密に表現され難いという問題点があった。
【００１１】
本発明の目的は、液状の材料だけでなく、粉末状の材料を均一に噴射することができる携帯用噴射装置を提供することにある。
具体的に、本発明の目的は、噴射用回転体の単純な回転運動によってカートリッジ部材を移動させることにより、カートリッジ部材内に位置した粉末が効果的に外部へ吐出できる携帯用噴射装置を提供することにある。
本発明の他の目的は、粉末状の材料を円滑かつ均一に噴射して食べ物だけでなく、コーヒーなどの飲み物にユーザーが表現しようとする文字または模様などを自由に表現して容易に装飾することができるようにする携帯用噴射装置を提供することにある。
【課題を解決するための手段】
【００１２】
上記の目的を達成するために、本発明に係る携帯用噴射装置は、本体ケーシング部材と、前記本体ケーシング部材の先端部に設けられ、粉末材料を噴射するための噴射孔を有する噴射ノズル部材と、前記本体ケーシング部材の内部に位置し、貯蔵される粉末材料を排出口を介して排出して前記噴射ノズル部材の内部へ供給するカートリッジ部材と、前記噴射ノズル部材の内部に配置され、回転することにより前記噴射孔を介して粉末材料を噴射する噴射用回転体とを含んでなることを特徴とする。
【００１３】
本発明において、前記噴射用回転体は、１回転時に少なくとも１回前記カートリッジ部材と衝突して前記カートリッジ部材を移動させることができる。
【００１４】
前記カートリッジ部材の移動は、上下方向の移動、左右方向の移動、規則的または不規則な振動、および斜線方向への移動のうちの少なくとも一つを含むことができる。
【００１５】
本発明において、前記排出口は前記カートリッジ部材の先端部に配置され、前記カートリッジ部材は長さ方向に移動することができる。
【００１６】
本発明において、前記噴射用回転体は、回転力の伝達を受けて回転する回転軸部と、前記回転軸部の外周面に螺旋状に突設される螺旋状突起部とを含むことができる。
【００１７】
本発明において、前記噴射用回転体は、前記回転軸部から突出し、前記カートリッジ部材とぶつかるカートリッジ衝突突起部をさらに含むことができる。
【００１８】
本発明において、前記カートリッジ部材の先端部には、前記カートリッジ衝突突起部とぶつかるカートリッジ突起部が突設され得る。
【００１９】
本発明において、前記回転軸部は、先端部に行くほど直径が小さくなるコーン状を有し、前記螺旋状突起部には、離隔した複数の材料移動用溝部が備えられ得る。
【００２０】
本発明において、前記螺旋状突起部は、離隔した複数の螺旋状突起で形成され、各螺旋状突起の間に間隔が形成された形態を有することができる。
【００２１】
本発明に係る携帯用噴射装置は、前記カートリッジ部材の移動を案内する直線移動ガイド部材をさらに含むことができる。
【００２２】
本発明に係る携帯用噴射装置は、前記カートリッジ部材を弾性支持するカートリッジ支持用ばね部材をさらに含むことができる。
【００２３】
本発明において、前記本体ケーシング部材は、前記噴射用回転体を回転させる回転モーターと、前記回転モーターの作動を制御する作動制御部が装着される内部ケーシング部と、前記内部ケーシング部の内部に配置される外部ケーシング部とを含み、前記直線移動ガイド部材は、前記内部ケーシング部における前記カートリッジ部材に対向する第１面と、前記カートリッジ部材における前記内部ケーシング部に対向する第２面のうちのいずれか一方に備えられるメイン直線移動体と、前記第１面および前記第２面のうちのいずれか他方に備えられ、前記メイン直線移動体が直線移動可能に結合するメイン直線移動ガイドレールとを含むことができる。
【００２４】
本発明に係る携帯用噴射装置は、前記カートリッジ部材を弾性支持するカートリッジ支持用ばね部材をさらに含み、前記カートリッジ支持用ばね部材は、メイン直線移動ガイドレール内に備えられ、前記カートリッジ部材を弾性支持することができる。
【００２５】
本発明において、前記直線移動ガイド部材は、前記第１面と前記第２面のうちのいずれか一方に突設される移動ガイド突起部、および前記第１面と前記第２面のうちのいずれか一方に備えられ、前記移動ガイド突起部が内部に挿入され、前記本体ケーシング部材の長さ方向に配置される移動ガイドスリット溝部をさらに含むことができる。
【００２６】
前記本体ケーシング部材は、前記噴射用回転体を回転させる回転モーターと、前記回転モーターの作動を制御する作動制御部が装着される内部ケーシング部と、前記内部ケーシング部が内部に配置される外部ケーシング部とを含み、前記内部ケーシング部および前記外部ケーシング部のいずれか一方は、いずれか他方にスライド移動して結合することができる。
【００２７】
本発明に係る携帯用噴射装置は、前記カートリッジ部材の内部に粉末材料を満たすことが可能な漏斗部材をさらに含むことができる。
【００２８】
本発明に係る携帯用噴射装置は、前記噴射孔を開閉する噴射孔開閉部材をさらに含むことができる。
【００２９】
本発明において、前記噴射孔開閉部材は、噴射用回転体の先端部に備えられる電磁石部と、前記電磁石部の磁力によって移動して前記噴射孔を開閉する噴射孔栓部と、前記噴射孔を塞ぐように前記噴射孔栓部を弾性支持する栓支持用ばね部材と、前記噴射孔栓部の移動を案内する栓移動ガイド部とを含むことができる。
【００３０】
本発明において、前記電磁石部は、前記回転モーターが作動するときに一緒に電気電源の供給を受け磁力を発生させて前記噴射孔を開放し、前記回転モーターが停止すると、電気電源供給が遮断できる。
【発明の効果】
【００３１】
本発明は、ノズルの内部に備えられるスクリューの回転によって粉末材料を均一かつ凝集なしに噴射することができ、材料の使用時に材料の凝集による問題なく使用可能であり、使用時の利便性を大幅に向上させるという効果がある。
本発明は、粉末状の材料を凝集なしに円滑且つ均一に噴射して、食べ物だけでなく、コーヒーなどの飲み物に、ユーザーが表現しようとする文字または模様などを自由に表現して容易に装飾することができるため、ユーザーの表現力を極大化し、装飾される文字または模様の表現力および美的効果を向上させるという効果がある。
【図面の簡単な説明】
【００３２】
【図１】本発明に係る携帯用噴射装置の一実施形態を示す分解斜視図である。
【図２】本発明に係る携帯用噴射装置の一実施形態を示す断面図である。
【図３】本発明に係る携帯用噴射装置の要部拡大斜視図である。
【図４】本発明に係る携帯用噴射装置の漏斗部材を示す斜視図である。
【図５】本発明に係る携帯噴射装置における噴射ノズル部材の内部を拡大して示す断面図である。
【図６】本発明に係る携帯噴射装置における噴射ノズル部材の内部を拡大して示す断面図である。
【図７】本発明に係る携帯用噴射装置の使用状態図である。
【発明を実施するための形態】
【００３３】
図１は本発明に係る携帯用噴射装置の一実施形態を示す分解斜視図、図２は本発明に係る携帯用噴射装置の一実施形態を示す断面図、図３は本発明に係る携帯用噴射装置の噴射用回転体３０を拡大して示す斜視図である。
【００３４】
以下、図１乃至図３を参照して、本発明に係る携帯用噴射装置の一実施形態を詳細に説明する。
本発明に係る携帯用噴射装置は、内部に設置空間が確保された本体ケーシング部材１０を含む。
【００３５】
前記本体ケーシング部材１０は、回転モーター４０および作動制御部５０が装着され、カートリッジ部材６０の移動を案内する内部ケーシング部１１と、前記内部ケーシング部１１が内部に配置される外部ケーシング部１２とを含む。
【００３６】
前記外部ケーシング部１２は、円筒状に形成されることを一例とし、内部に前記内部ケーシング部１１の配置空間を確保し、ユーザーが手で取って使用しやすい任意の形状にも変形実施することができることを明らかにしておく。
【００３７】
前記内部ケーシング部１１は、前記外部ケーシング部１２とは別個に製造され、前記外部ケーシング部１２内に組み立てられるものと示されているが、前記外部ケーシング部１２の内周面に一体に突設されることも可能であることを明らかにしておく。
【００３８】
前記外部ケーシング部１２は、２つのボディに分離され、前記内部ケーシング部１１は、２つのボディが結合する前記外部ケーシング部１２の内部に組み立てられることを一例とする。
【００３９】
図示してはいないが、前記内部ケーシング部１１および前記外部ケーシング部１２のうちのいずれか一方は、いずれか他方にスライド移動して結合することができる。
【００４０】
つまり、前記内部ケーシング部１１および前記外部ケーシング部１２のうち、いずれか一方にはスライド結合用レールが備えられ、いずれか他方には前記スライド結合用レールに沿って結合するスライド移動体を含むことで、前記内部ケーシング部１１と前記外部ケーシング部１２とはスライド方式で互いに組み立てられ得る。
【００４１】
前記本体ケーシング部材１０の先端部、すなわち、前記外部ケーシング部１２の先端部には、粉末材料を噴射するための噴射孔２１を有する噴射ノズル部材２０が結合する。
【００４２】
前記噴射ノズル部材２０は、先端部側に行くほど直径が小さくなるコーン状に形成され、先端部に噴射孔２１を有することを一例とする。
【００４３】
前記噴射ノズル部材２０の内部には、前記噴射孔２１へ粉末材料を噴射させる噴射用回転体３０が回転可能に配置される。
【００４４】
前記噴射用回転体３０は、前記本体ケーシング部材１０の内部に取り付けられる回転モーター４０のモーターシャフト４１に結合し、前記モーターシャフト４１と一緒に回転する。
【００４５】
前記本体ケーシング部材１０の内部には、前記回転モーター４０の作動を制御する作動制御部５０が装着できる。
【００４６】
前記作動制御部５０は、前記回転モーター４０へ電気電源を供給する電源供給部５１と、前記電源供給部５１および前記回転モーター４０と電気的に接続され、前記電源供給部５１から前記回転モーター４０へ電気電源を供給し或いは電気電源を遮断するスイッチ部５２とを含む。
【００４７】
前記スイッチ部５２は、前記回転モーター４０の作動を制御することが可能な回路が構成された基板５２ａと、前記基板５２ａに備えられ、前記回転モーター４０を作動および停止させる信号を印加するスイッチ５２ｂとを含むことができる。
【００４８】
前記電源供給部５１は、充電池または乾電池であることを一例とし、本発明では交換して使用可能な乾電池であることを一例とし、図示してはいないが、電源用コンセントに結合できる電線およびプラグを含むこともできる。
【００４９】
前記本体ケーシング部材１０の前面部１３には、シャフト貫通孔１３ａと、カートリッジ部材６０の先端部に突設されるカートリッジ突起部６１が貫いて突出し、前記カートリッジ部材６０の排出口６０ａに連通する排出用貫通孔１３ｂとが備えられる。
【００５０】
つまり、前記内部ケーシング部１１は、前記前面部１３と、前記前面部１３の後側に備えられ、前記回転モーター４０が内部に挿入されて装着され、前記シャフト貫通孔１３ａと連通するモーター装着空間部１４と、前記モーター装着空間部１４の後側に備えられ、前記回転モーター４０へ電気電源を供給する乾電池が挿入される乾電池挿入部１５とを備える。
【００５１】
前記外部ケーシング部１２には、前記乾電池挿入部１５を露出させる乾電池交換用開放部１２ａと、前記乾電池交換用開放部１２ａをカバーし、分離可能に結合する乾電池カバー部１２ｂとが備えられ得る。
【００５２】
前記乾電池カバー部１２ｂを前記外部ケーシング部１２から分離すると、前記乾電池交換用開放部１２ａを介して前記乾電池挿入部に挿入された乾電池が露出され、前記乾電池を容易に交換することができる。
【００５３】
前記本体ケーシング部材１０の内部にはカートリッジ部材６０が装着され、前記カートリッジ部材６０は、内部に粉末材料が貯蔵され、先端部側には前記噴射用回転体３０へ粉末材料を供給する排出口６０ａが備えられる。
【００５４】
前記噴射用回転体３０は、１回転時に少なくとも１回前記カートリッジ部材６０と衝突して、前記本体ケーシング部材１０内で前記カートリッジ部材６０が繰り返し移動するようにすることにより、前記カートリッジ部材６０内の粉末材料を排出口６０ａ側へよりスムーズに移動するようにし、前記排出口６０ａを介して粉末材料をより円滑に排出させる。
【００５５】
前記カートリッジ部材６０の移動は、上下方向の移動、左右方向の移動、規則的または不規則な振動、および斜線方向への移動のうちの少なくとも一つを含むことを一例とする。
【００５６】
前記カートリッジ部材６０は、前記外部ケーシング部１２の長さ方向に配置され、外側面の一部分が前記内部ケーシング部１１の外側面のうちの一部分と密着するように配置されることを一例とする。
【００５７】
前記カートリッジ部材６０は、先端部には前記噴射用回転体３０の回転時に前記噴射用回転体３０と衝突するカートリッジ突起部６１が突設され、後端部には内部へ粉末材料を供給することができるようにする材料供給口６０ｂが設けられ得る。
【００５８】
前記本体ケーシング部材１０の後端部には、前記材料供給口６０ｂを露出させる供給口露出孔１６ａが設けられ、前記供給口露出孔１６ａには、栓部材７０が分離可能に結合する。
【００５９】
一例として、前記内部ケーシング部１１の後端には、前記供給口露出孔１６ａを有する栓結合用フランジ部１６が備えられ、前記栓結合用フランジ部１６は、前記外部ケーシング部１２の後端に露出されるように配置される。
【００６０】
前記栓部材７０の端部には前記供給口露出孔１６ａを貫通する栓結合部７１が突設され、前記栓結合部７１の外周面には複数の結合突起７１ａが備えられる。
【００６１】
また、前記供給口露出孔１６ａの内周面には、前記結合突起７１ａが貫通する結合溝部１６ｂが備えられる。
【００６２】
前記栓部材７０は、前記栓結合部７１の結合突起７１ａを前記結合溝部１６ｂに通過させた後、回転させて前記供給口露出孔１６ａの内周面に前記結合突起７１ａが係止されるようになることにより、前記栓結合用フランジ部１６に結合して前記材料供給口６０ｂを塞ぐ。
【００６３】
そして、前記栓部材７０を回して前記結合突起７１ａを前記結合溝部１６ｂに一致させた状態で前記栓部材７０を引っ張って簡単に前記栓結合用フランジ部１６から分離させることにより、前記供給口露出孔１６ａを開放して前記材料供給口６０ｂへ粉末材料を供給して前記カートリッジ部材６０の内部に粉末材料をさらに満たすことができる。
【００６４】
一方、前記噴射用回転体３０は、前記回転モーター４０の回転力の伝達を受けて回転する回転軸部３１と、前記回転軸部３１の外周面に螺旋状に突設される螺旋状突起部３２とを含み、前記回転軸部３１から突出し、前記カートリッジ部材６０とぶつかるカートリッジ衝突突起部３３をさらに含むことができる。
【００６５】
前記回転軸部３１は、先端部に行くほど直径が小さくなるコーン状を有することを一例とする。
【００６６】
また、前記螺旋状突起部３２には、離隔した複数の材料移動用溝部３２ａが備えられ得る。
【００６７】
また、前記螺旋状突起部３２は、離隔した複数の螺旋状突起で形成され、各螺旋状突起の間に間隔が形成された形態を有することもできる。
【００６８】
前記材料移動用溝部３２ａは、前記噴射用回転体３０の回転によって粉末材料が前記噴射ノズル部材２０の内部で噴射孔２１に向かってスムーズに移動できるようにする。
【００６９】
また、前記螺旋状突起部３２は、離隔した複数の螺旋状突起で形成され、各螺旋状突起の間に間隔が形成されることにより、前記噴射用回転体３０の回転によって粉末材料が前記噴射ノズル部材２０の内部で噴射孔２１に向かってよりスムーズに移動できるようにする。
【００７０】
前記カートリッジ衝突突起部３３は、前記回転軸部３１の後端部側に突設され、前記カートリッジ部材６０の先端部側とぶつかることを一例とし、前記回転軸部３１の外周に離隔して複数突設され、前記回転軸部３１の１回転時に前記カートリッジ部材６０と複数回衝突して前記カートリッジ部材６０に振動を発生させることが好ましい。
【００７１】
前記カートリッジ衝突突起部３３は、前記カートリッジ部材６０の先端部に突設されるカートリッジ突起部６１と衝突し、前記カートリッジ突起部６１は、前記前面部１３の前記排出用貫通孔１３ｂを介して前記前面部１３の前面側へ突出して前記カートリッジ衝突突起部３３と衝突することができる位置に配置される。
【００７２】
前記カートリッジ部材６０は、前記本体ケーシング部材１０の長さ方向に移動可能に配置され、前記カートリッジの衝突突起部３３がぶつかると、長さ方向に押されて移動することを一例とする。
【００７３】
本発明に係る携帯用噴射装置は、前記カートリッジ部材６０の直線移動を案内する直線移動ガイド部材８０をさらに含むことが好ましい。
【００７４】
また、本発明に係る携帯用噴射装置は、前記カートリッジ部材６０を弾性支持するカートリッジ支持用ばね部材９０をさらに含むことが好ましい。
【００７５】
前記カートリッジ支持用ばね部材９０は、前記カートリッジ部材６０の先端部が前記噴射用回転体３０と衝突できるように前記カートリッジ部材６０を弾性支持し、より詳細には、前記カートリッジ突起部６１が前記排出用貫通孔１３ｂを介して突出して前記カートリッジの衝突突起部３３と衝突できる位置に復帰できるようにする。
【００７６】
前記カートリッジ部材６０は、排出口６０ａが先端部に向かって配置され、前記本体ケーシング部材１０の長さ方向に配置されるので、前記本体ケーシング部材１０の長さ方向に正確に直線往復移動する場合、前記排出口６０ａを介して内部の粉末材料、特に粉末材料を最も効率よくスムーズに排出させることができる。
【００７７】
前記カートリッジ部材６０が前記噴射用回転体３０と衝突して左右方向に揺れが発生すると、前記カートリッジ部材６０の内部で粉末材料を先端部側の排出口６０ａへ移動させようとする力が分散して、粉末材料が排出口６０ａ側へ移動することが円滑でないという問題点がある。
【００７８】
また、前記カートリッジ部材６０が左右に揺れると、前記カートリッジ部材６０の排出口６０ａと前記排出用貫通孔１３ｂとがずれながら、前記粉末材料が前記前面部１３に係止されて前記外部ハウジング１２内に残留することもできる。
【００７９】
前記直線移動ガイド部材８０は、前記材料保管用カートリッジが前記噴射用回転体３０とぶつかるとき、前記カートリッジ部材６０の直線往復移動を案内して、前記カートリッジ部材６０の内部で粉末材料を先端部側の排出口６０ａへ移動させようとする力を直線方向に集中させ、粉末材料を排出口６０ａを介して円滑に排出されるようにする。
【００８０】
また、前記直線移動ガイド部材８０は、前記カートリッジ部材６０の直線往復移動を案内して、前記排出口６０ａを介して粉末材料が排出されるときに撒き散らされないようにし、排出される粉末材料が前記排出用貫通孔１３ｂを介して前記噴射ノズル部材２０の内部へ全量供給されるようにする。
【００８１】
前記カートリッジ衝突突起部３３と前記カートリッジ突起部６１は、互いにぶつかる衝突部分が曲面で形成され、前記カートリッジ部材６０が前記カートリッジ衝突突起部３３と前記カートリッジ突起部６１との衝突によって長さ方向、すなわち後端部側にスムーズに押されて移動し、前記カートリッジ衝突突起部３３が前記カートリッジ突起部６１に係止され、前記噴射用回転体３０が停止せずスムーズに回転することができるようにする。
【００８２】
前記カートリッジ部材６０は、外側面のうちの少なくとも一部分が前記内部ケーシング部１１の外側面のうちの一部分に接触して長さ方向の移動が案内されることを一例とする。
【００８３】
前記直線移動ガイド部材８０は、前記内部ケーシング部１１における前記カートリッジ部材６０に対向する第１面と前記カートリッジ部材６０における前記内部ケーシング部１１に対向する第２面のうちのいずれか一方に備えられるメイン直線移動体８１と、前記第１面と前記第２面のうちのいずれか他方に備えられ、前記メイン直線移動体８１が直線移動可能に結合するメイン直線移動ガイドレール８２とを含む。
【００８４】
前記カートリッジ支持用ばね部材９０は、前記メイン直線移動ガイドレール８２内に備えられ、一端が前記メイン直線移動体８１に支持され且つ他端が前記カートリッジ部材６０を支持することを一例とする。
【００８５】
前記カートリッジ支持用ばね部材９０は、前記メイン直線移動ガイドレール８２内に備えられ、前記カートリッジ部材６０を弾性支持するとともに、前記カートリッジ部材６０が直線往復移動できるようにガイドする役割を同時に果たすようにするものである。
【００８６】
また、前記直線移動ガイド部材８０は、前記第１面および前記第２面のうちのいずれか一方に突設される移動ガイド突起部８３と、前記第１面および前記第２面のうちのいずれか一方に備えられ、前記移動ガイド突起部８３が内部に挿入され、前記本体ケーシング部材１０の長さ方向に配置される移動ガイドスリット溝部８４とをさらに含むことができる。
【００８７】
前記噴射用回転体３０の回転によって前記カートリッジ衝突突起部３３が前記カートリッジ突起部６１に衝突するとき、前記カートリッジ部材６０は、前記メイン直線移動体８１が前記メイン直線移動ガイドレール８２に沿って移動し、前記移動ガイド突起部８３が前記移動ガイドスリット溝部８４に沿って移動することにより、正確に直線往復移動する。
【００８８】
前記噴射用回転体３０は、前記回転モーター４０によって回転して前記螺旋状突起部３２の間を介して粉末材料を前記噴射孔２１へ移動させて前記噴射孔２１から排出されるようにするとともに、前記カートリッジ衝突突起部３３が前記カートリッジ突起部６１に繰り返しぶつかりながら前記カートリッジ部材６０を上下方向、すなわち、排出口６０ａ側とその反対方向である前記本体ハウジング部の長さ方向に直線往復移動させる。
【００８９】
前記カートリッジ部材６０は、前記噴射用回転体３０が回転して先端部側、すなわち、排出口６０ａが備えられた先端部側とその反対方向に往復移動しながら、内部の粉末材料が前記排出口６０ａを介してスムーズに排出されて前記噴射ノズル部材２０の内部へ供給される。
【００９０】
また、前記カートリッジ部材６０から排出されて前記噴射ノズル部材２０の内部へ供給される粉末材料は、前記螺旋状突起部３２によって噴射孔２１へ移動して前記噴射孔２１からスムーズに噴射されるのである。
【００９１】
一方、本発明に係る携帯用噴射装置は、前記噴射孔２１を開閉する噴射孔開閉部材１００をさらに含むことができる。
【００９２】
前記噴射孔開閉部材１００は、未使用時に前記噴射孔２１を塞いでおり、前記噴射用回転体３０が回転すると、すなわち使用する場合に、前記噴射孔２１を開いて粉末材料を前記噴射孔２１を介して噴射するようにする。
【００９３】
前記噴射孔開閉部材１００は、弾性材質のバルブ板１１０であって、前記噴射用回転体３０の回転による加圧力で前記噴射孔２１を開き、前記噴射用回転体３０が停止すると、自体の弾性力によって前記噴射孔２１を塞ぐことを一例とする。
【００９４】
また、図４は本発明に係る携帯用噴射装置の漏斗部材を示す斜視図である。図４を参照すると、前記カートリッジ部材６０の内部に粉末材料を満たすことが可能な漏斗部材１６０をさらに含む。
【００９５】
前記漏斗部材１６０は、前記カートリッジ部材６０の材料供給口６０ｂを介して内部に粉末材料をさらに容易に満たすことができるようして、カートリッジ部材６０内に粉末材料を再び充填するときに利便性を大幅に向上させる。
【００９６】
図５および図６は本発明に係る携帯噴射装置における噴射ノズル部材２０の内部を拡大して示す断面図であって、前記噴射孔開閉部材１００は、前記噴射用回転体３０の先端部に備えられる電磁石部１２０、前記電磁石部１２０の磁力によって移動して前記噴射孔２１を開閉する噴射孔栓部１３０、前記噴射孔２１を塞ぐように前記噴射孔栓部１３０を弾性支持する栓支持用ばね部材１４０、および前記噴射孔栓部１３０の移動を案内する栓移動ガイド部１５０を含む。
【００９７】
前記栓移動ガイド部１５０は、前記噴射用回転体３０の先端部に一体に設けられ、先端部側に開放され、内部に前記電磁石部１２０、前記栓支持用ばね部材１４０、前記噴射孔栓部１３０がそれぞれ挿入されることを一例とする。
【００９８】
前記噴射孔栓部１３０は、前記電磁石部１２０に磁力が発生すると、前記電磁石部１２０側に移動する磁性体であることを一例とし、前記栓支持用ばね部材１４０は、前記噴射孔栓部１３０が前記噴射孔２１を塞ぐように弾性支持して、前記電磁石部１２０の磁力がなくなると、前記噴射孔栓部１３０がさらに前記噴射孔２１を塞ぐことができるようにする。
【００９９】
前記電磁石部１２０は、前記作動制御部５０に連結され、前記スイッチ部５２によって前記回転モーター４０に電気電源を供給して、前記噴射用回転体３０を回転させるときに一緒に電気電源の供給を受けて磁力を発生させる。
【０１００】
すなわち、ユーザーが前記スイッチ部５２を押して前記回転モーター４０を回転させると、前記電磁石部１２０にも磁力が発生し、前記噴射孔栓部１３０が前記電磁石部１２０側へ移動しながら前記噴射孔２１を開かせる。
【０１０１】
前記噴射用回転体３０の回転によって、前記噴射ノズル部材２０の内部に満たされた粉末材料が螺旋状突起部３２により前記噴射ノズル部材２０の先端部側、すなわち噴射孔２１側へ移動して前記噴射孔２１からスムーズに噴射されるのである。
【０１０２】
また、ユーザーが前記スイッチ部５２を再び押して前記回転モーター４０を停止させると、前記電磁石部１２０の電源供給が遮断されながら、前記電磁石部１２０で磁力がなくなり、これにより、前記栓支持用ばね部材１４０の弾性力によって前記噴射孔栓部１３０はさらに前記噴射孔２１を塞ぐのである。
【０１０３】
図７は本発明に係る携帯用噴射装置の使用状態図であって、ユーザーが本発明に係る携帯噴射装置を用いてラテアートを実現する例を示している。
【０１０４】
本発明は、ノズルの内部に備えられるスクリューの回転によって粉末材料を均一で凝集なしに噴射することができるため、材料の使用時に材料の凝集による問題なく使用可能であり、使用時の利便性を大幅に向上させる。
【０１０５】
本発明は、粉末状の材料を凝集なしに円滑且つ均一に噴射して食べ物だけでなく、コーヒーなどの飲み物にも、ユーザーが表現しようとする文字または模様などを自由に表現して容易に装飾することができるためユーザーの表現力を極大化し、装飾される文字または模様の表現力および美的効果を向上させる。
【０１０６】
本発明は、前述した実施形態に限定されるものではなく、本発明の要旨から逸脱することなく多様に変更して実施することができ、これは本発明の構成に含まれることを明らかにしておく。
【図１】
2019521051.tif 000003
【図２】
2019521051.tif 000004
【図３】
2019521051.tif 000005
【図４】
2019521051.tif 000006
【図５】
2019521051.tif 000007
【図６】
2019521051.tif 000008
【図７】
2019521051.tif 000009
【国際調査報告】
2019521051.tif 000010
2019521051.tif 000011
2019521051.tif 000012
2019521051.tif 000013